(57)【要約】      （修正有）【課題】スイング特性を計測するためにスポーツ器具に取付ける監視デバイスの重量の影響を排除可能なスポーツ器具の提供。【解決手段】スポーツ器具２１２は監視デバイス２３０を含む。監視デバイスは、監視デバイスを備えない同等なスポーツ器具と比較して、スポーツ器具に重さを加えないことができる。監視デバイスは、スポーツ器具の重心と概ね位置合わせされる重心を有することができ、結果として、監視デバイスを備えるスポーツ器具が、監視デバイスを備えない同等なスポーツ器具と実質的に同じ重心を有する。スポーツ器具監視装置は、望ましくないインパクト後のスイングデータをトリムし、そのデータを外挿されたインパクト前のスイングデータ及び／又は信頼性の高いインパクト後のスイングデータと置き換えるように構成することができる。【選択図】図２
2016107087.tif 000002
【特許請求の範囲】
【請求項１】
監視デバイスを備えるスポーツ器具であって、前記監視デバイスは、前記スポーツ器具のインパクト前のスイング経路に応答するデータを送信し、前記スポーツ器具のインパクト後のスイング経路に応答するデータをトリムし、前記スポーツ器具の前記インパクト前のスイング経路に応答する前記データの少なくとも一部に少なくとも部分的に基づいて、前記スポーツ器具の仮定的なインパクト後のスイング経路を決定するように構成される、監視デバイスを備えるスポーツ器具。
【請求項２】
ソール部とフェース部とを有するゴルフクラブヘッドを備え、前記ソール部は空洞を備え、該空洞は、前記監視デバイスが該空洞内に設置されるときに、前記監視デバイスを補完するようなサイズ及び形状であり、前記空洞は前記ゴルフクラブヘッドから取り除かれた材料の質量に対応する容積を有し、前記取り除かれた材料の質量は、設置されるときの前記監視デバイスの質量に実質的に等しい、請求項１に記載のスポーツ器具。
【請求項３】
前記監視デバイスは、前記スポーツ器具の振動後インパクト後のスイング経路を決定し、前記振動後インパクト後のスイング経路の少なくとも一部に少なくとも部分的に基づいて、前記スポーツ器具の前記仮定的なインパクト後のスイング経路を決定するように更に構成される、請求項１に記載のスポーツ器具。
【請求項４】
前記スポーツ器具の前記仮定的なインパクト後のスイング経路は、前記スポーツ器具のスポーツ物体とのインパクト点から、前記スポーツ器具のインパクト後の振動が実質的に終わるインパクト後の位置に実質的に対応する点までの経路を含む、請求項１に記載のスポーツ器具。
【請求項５】
第１の密度を有する第１の構成材料を含む第１の部分と、監視デバイスを収容するように構成される前記第１の部分内の空所とを備えるゴルフクラブヘッドであって、前記空所は、前記第１の密度を乗算したときに仮定的質量となる第１の容積を有し、前記監視デバイスは、合計すると、前記仮定的質量に実質的に等しい該監視デバイスの質量となる複数のコンポーネントを備えるゴルフクラブヘッド。
【請求項６】
前記監視デバイスは、回路基板、ハウジング、重り及び留め具のうちの１つ又は複数を備える、請求項５に記載のゴルフクラブヘッド。
【請求項７】
前記監視デバイスは、前記第１の容積に実質的に等しい第２の容積を有する、請求項５に記載のゴルフクラブヘッド。
【請求項８】
前記監視デバイスは、前記第１の密度に実質的に等しい第２の密度を有する、請求項５に記載のゴルフクラブヘッド。
【請求項９】
前記監視デバイスは、第１の重心ＣＧsを有し、前記ゴルフクラブヘッドは、前記空所が前記第１の構成材料で満たされている状態での前記ゴルフクラブヘッドの重心を含む仮定的重心ＣＧhを有し、前記第１の重心ＣＧsは、前記監視デバイスが前記ゴルフクラブヘッド内に設置されるときに、前記仮定的重心ＣＧhと実質的に位置合わせされる、請求項５に記載のゴルフクラブヘッド。
【請求項１０】
第１の監視デバイス端及び第２の監視デバイス端を有する監視デバイスを収容するように構成される空洞を備えるゴルフクラブヘッドであって、前記空洞は細長く、第１の空洞端及び第２の空洞端を有し、前記第１の空洞端は前記第１の監視デバイス端を前記ゴルフクラブヘッドに固定する留め具を収容するように構成され、前記第２の監視デバイス端は、前記留め具が前記第１の監視デバイス端を固定すると、前記第２の監視デバイス端を前記ゴルフクラブヘッドに固定するように構成されるゴルフクラブヘッド。
【請求項１１】
前記第２の監視デバイス端は、摩擦嵌めによって前記ゴルフクラブヘッドに固定されるように構成される、請求項１０に記載のゴルフクラブヘッド。
【請求項１２】
前記第２の監視デバイス端は、全体として切頭円錐構成を含む、請求項１０に記載のゴルフクラブヘッド。
【請求項１３】
前記第２の監視デバイス端は、くさび形部分を備える、請求項１０に記載のゴルフクラブヘッド。
【請求項１４】
前記くさび形部分は、前記空洞の溝内に摺動可能に収容されるように構成される、請求項１３に記載のゴルフクラブヘッド。
【請求項１５】
前記第２の監視デバイス端は、変形可能材料を含むＯリングを備える、請求項１０に記載のゴルフクラブヘッド。
【請求項１６】
前記Ｏリングは、前記監視デバイス内の溝によって保持される、請求項１５に記載のゴルフクラブヘッド。
【請求項１７】
前記Ｏリングは、前記空洞内の溝によって保持される、請求項１５に記載のゴルフクラブヘッド。
【請求項１８】
第２の端部が変形可能材料を備える、請求項１１に記載のゴルフクラブヘッド。
【請求項１９】
前記第１の空洞端近傍の前記ゴルフクラブヘッドは、第１のクラブヘッド輪郭を有し、前記第２の空洞端近傍の前記ゴルフクラブヘッドは、第２のクラブヘッド輪郭を有し、前記第２の監視デバイス端は、前記監視デバイスが前記ゴルフクラブヘッド内に固定されるときに、前記第２のクラブヘッド輪郭を実質的に補完する第２の監視デバイス端輪郭を備える、請求項１０に記載のゴルフクラブヘッド。
【請求項２０】
前記監視デバイスは、１回又は複数回の練習スイングからのデータを記憶、及び／又は送信し、そのような記憶及び／又は送信されたデータを用いて、前記スポーツ器具の前記インパクト後のスイング経路を正規化するように構成される、請求項１に記載のスポーツ器具。
【請求項２１】
リモートデバイスと、長手方向軸を有し、第１の監視デバイス及び第２の監視デバイスを備えるスポーツ器具とを備えるシステムであって、前記第１の監視デバイス及び前記第２の監視デバイスは前記長手方向軸に対して離間して配置され、前記スポーツ器具に固定され、前記第１の監視デバイス及び前記第２の監視デバイスはそれぞれ、前記スポーツ器具のスイングに対応するデータを前記リモートデバイスに送信するように構成される監視デバイスを備え、該システムは、
ａ．前記スポーツ器具の前記スイングの第１の部分中に、前記スポーツ器具の前記スイングの前記第１の部分を最も反映するデータを送信しているのが、前記第１の監視デバイス及び前記第２の監視デバイスのうちのいずれであるかを判断し、
ｂ．前記スポーツ器具の前記スイングの前記第１の部分を最も反映するデータを取り込み、
ｃ．前記スポーツ器具の前記スイングの第２の部分中に、前記スポーツ器具の前記スイングの前記第２の部分を最も反映するデータを送信しているのが、前記第１の監視デバイス及び前記第２の監視デバイスのうちのいずれであるかを判断し、
ｄ．前記スポーツ器具の前記スイングの前記第２の部分を最も反映するデータを取り込み、
ｅ．前記スポーツ器具の前記スイングの前記第１の部分を最も反映するデータを、前記スポーツ器具の前記スイングの前記第２の部分を最も反映するデータと累算する、
ように構成される、システム。
【請求項２２】
前記第１の監視デバイスは、前記スポーツ器具の前記スイングの前記第１の部分を最も反映するデータを送信するように構成され、前記第２の監視デバイスは、前記スポーツ器具の前記スイングの前記第２の部分を最も反映するデータを送信するように構成される、請求項２１に記載のシステム。
【請求項２３】
前記第１の監視デバイスは、前記スポーツ器具の近端において該スポーツ器具に固定され、前記第２の監視デバイスは、前記スポーツ器具の遠端において該スポーツ器具に固定される、請求項２１に記載のシステム。
【請求項２４】
１つ又は複数の更なる監視デバイスを備え、前記第１の監視デバイス、前記第２の監視デバイス、及び前記１つ又は複数の更なる監視デバイスは、前記スポーツ器具の前記長手方向軸に沿って実質的に等間隔で配置される、請求項２１に記載のシステム。
【請求項２５】
前記スポーツ器具はゴルフクラブを含む、請求項２１に記載のシステム。
【請求項２６】
第１のスポーツ器具であって、
前記第１のスポーツ器具のインパクトエリア付近にある第１の監視デバイスを備え、
前記第１の監視デバイスは、
プロセッサと、
前記プロセッサと結合されるメモリと、を備え、
前記メモリは、前記プロセッサによって実行されるときに、該プロセッサに、
前記第１のスポーツ器具のスイングのインパクト前の経路のデータを取り込むことと、
前記第１のスポーツ器具の前記スイングのインパクト後の経路のデータを取り込むことと、
前記インパクト後の経路の前記データをトリムすることと、
前記インパクト前の経路の前記データと、前記インパクト後の経路の前記トリムされたデータとに基づいて、前記第１のスポーツ器具の前記スイングの仮定的なスイング経路を決定することと、
を含む動作を達成させる実行可能命令を含む、第１のスポーツ器具。
【請求項２７】
前記第１のスポーツ器具の前記スイングの前記仮定的なスイング経路の前記決定は、少なくとも、前記第１のスポーツ器具の前記スイングとスポーツ物体とのインパクトのデータに更に基づく、請求項２６に記載の第１のスポーツ器具。
【請求項２８】
前記インパクト後の経路の前記データをトリミングすることは、前記第１のスポーツ器具の実質的なインパクト後の振動中に取り込まれたデータを除去することを含む、請求項２６に記載の第１のスポーツ器具。
【請求項２９】
前記仮定的なスイング経路は、仮定的なインパクト後のスイング経路である、請求項２６に記載の第１のスポーツ器具。
【請求項３０】
第１のスポーツ器具と、リモートプロセッサとを備えるシステムであって、
前記第１のスポーツ器具は、第１のプロセッサと、前記第１のプロセッサに結合される第１のメモリとを備える第１の監視デバイスを備え、
前記第１のメモリは、前記第１のプロセッサによって実行されるときに、該第１のプロセッサに、
前記第１のスポーツ器具の第１のスイングの第１のスイング部分の第１のインパクト前の経路のデータを取り込むことと、
前記第１のスポーツ器具の前記第１のスイングの第２のスイング部分の第１のインパクト後の経路のデータを取り込むことと、
を含む動作を達成させる実行可能命令を含み、
前記リモート装置は、リモートプロセッサと、前記リモートプロセッサと結合されたリモートメモリとを備え、
前記リモートメモリは、前記リモートプロセッサによって実行されるときに、該リモートプロセッサに、
前記第１のインパクト前の経路の前記データと前記第１のインパクト後の経路の前記データとを受信することと、
前記第１のインパクト後のスイング経路の前記データをトリムすることと、
前記第１のインパクト前の経路の前記データと、前記第１のインパクト後の経路の前記トリムされたデータとに基づいて、前記第１のスポーツ器具の前記第１のスイングの仮定的なインパクト後のスイング経路を決定することと、
を含む動作を達成させる実行可能命令を含む、
システム。
【請求項３１】
前記リモートプロセッサは、少なくとも前記第１のインパクト後のスイング経路の一部のデータに更に基づいて、前記第１のスポーツ器具の前記第１のスイングの前記仮定的なインパクト後のスイング経路を決定することを含む動作を更に達成し、前記第１のインパクト後のスイング経路の前記一部の前記データは、前記第１のスポーツ器具の振動が実質的に終わったときのデータを含む、請求項３０に記載のシステム。
【請求項３２】
前記第１の監視デバイスは、前記第１のスポーツ器具のインパクトエリア付近に位置する、請求項３０に記載のシステム。
【請求項３３】
前記リモートプロセッサは、少なくとも前記第１のスポーツ器具の第２のスイングのデータに更に基づいて、前記第１のスポーツ器具の前記第１のスイングの前記仮定的なインパクト後のスイング経路を決定することを含む動作を更に達成する、請求項３０に記載のシステム。
【請求項３４】
前記リモートプロセッサは、前記第１のスポーツ器具の非インパクトエリア付近の第２の監視デバイスのデータに更に基づいて、前記第１のスポーツ器具の前記第１のスイングの前記仮定的なインパクト後のスイング経路を決定することを含む動作を更に達成する、請求項３０に記載のシステム。
【請求項３５】
前記リモートプロセッサは、前記仮定的なインパクト後のスイング経路を表示する命令を提供することを含む動作を更に達成する、請求項３０に記載のシステム。
【請求項３６】
ａ．監視デバイスを備えるスポーツ器具の第１のスイングの第１のインパクト前の経路のデータを取り込むことであって、前記監視デバイスは、該監視デバイスを備える前記スポーツ器具が該監視デバイスを備えない同等なスポーツ器具に実質的に類似のスイング特性を示すようなサイズ及び形状であり、かつ該実質的に類似のスイング特性を示すように前記スポーツ器具に対して位置決めされることと、
ｂ．前記スポーツ器具の前記第１のスイングの第１のインパクト後の経路のデータを取り込むことと、
ｃ．前記第１のインパクト後の経路の前記データをトリムすることと、
ｄ．前記第１のインパクト前の経路の前記データと、前記第１のインパクト後の経路の前記トリムされたデータとに少なくとも部分的に基づいて、前記スポーツ器具の第１の仮定的なスイング経路を決定することと、
を含む、方法。
【請求項３７】
前記第１の仮定的なスイング経路をディスプレイ上に表示することを更に含む、請求項３６に記載の方法。
【請求項３８】
前記第１のインパクト後の経路の前記データをトリムすることは、前記スポーツ器具の実質的なインパクト後の振動中に取り込まれたデータを除去することを含む、請求項３６に記載の方法。
【請求項３９】
ｅ．前記スポーツ器具の第２のスイングに基づいて第２のインパクト前の経路のデータを取り込むことと、
ｆ．前記スポーツ器具の前記第２のスイングに基づいて第２のインパクト後の経路のデータを取り込むことと、
ｇ．前記第２のインパクト後の経路の前記データをトリムすることと、
ｈ．前記第１の仮定的なスイング経路と、前記第２のインパクト前の経路の前記データと、前記第２のインパクト後の経路の前記トリムされたデータとに少なくとも部分的に基づいて、前記スポーツ器具の第２の仮定的なスイング経路を決定することと、
を含む、請求項３６に記載の方法。
【発明の詳細な説明】
【技術分野】
【０００１】
本発明は、監視デバイスを備えるスポーツ器具に関する。
【背景技術】
【０００２】
ゴルファー及び他のスポーツ愛好家は腕を上げる方法を絶えず探している。ゴルファーは特に、生まれもったあらゆる能力を高めるために、技術革新を特に当てにしている。そのような革新は、ゴルフクラブ、ゴルフシューズ、ゴルフグローブ、ゴルフボール、更にはゴルフウェアのような改善されたゴルフ用具の形をとる。
【０００３】
ゴルファー及びゴルフクラブ用具製造業者は、ゴルファーのスイングを評価するために、センサー及びモニターを益々当てにするようになっている。センサー及びモニターは、クラブヘッドスピード、アタック角、打ち出し角、ゴルフボールスピン速度及びスピン方向等の条件を追跡することができる。そして、ゴルフクラブのフィッティングを専門にするアウトレットを含む、ゴルフクラブ用具の販売業者は、見込購買者が、自分たちの特定のゴルフスイング特性に最もよく合うゴルフクラブを選択するのを助けるために、そのようなセンサー及びモニターを益々当てにしている。
【０００４】
市販されている１つのそのようなセンサーは、イリノイ州シカゴのSwingbyte, LLC社（以前のSwingbyte, Inc.社）から市販されるＳＢ２センサーである。かかるセンサーは、その全体が参照により本明細書に援用される米国特許第８，６９６，４８２号に記載されているように、通常、例えば、クランプ機構を用いてゴルフクラブのシャフトに取外し可能に取り付けられるか、又は例えば、接着剤を用いてシャフトに固定される。そのようなセンサーは、「３次元ゴルフスイングアナライザー」とも呼ばれ、慣性測定装置（ＩＭＵ）として機能し、通常、例えば、線形加速度データを生成し、送信することができる３軸加速度計と、角速度データを生成し、送信することができる３軸ジャイロスコープと、加速度計及びジャイロスコープからデータを受信し、そのデータを処理する第１のマイクロプロセッサと、当該マイクロプロセッサが処理されたデータを格納する第１のコンピューターメモリと、第１のコンピューターメモリからの処理されたデータを送信するための無線送信機とを含む。加速度計及びジャイロスコープのためにＭＥＭＳ（微小電気機械システム）技術を用いることができる。センサーは通常、電池又は他の適切な電源によって電力を供給される。マイクロプロセッサ、加速度計、ジャイロスコープ、コンピューターメモリ、無線送信機及び電池を保持するためにハウジングが用いられる。
【先行技術文献】
【特許文献】
【０００５】
【特許文献１】米国特許第８，６９６，４８２号明細書
【発明の概要】
【発明が解決しようとする課題】
【０００６】
そのようなデバイスは、ゴルフクラブにおいてグリップの下方、若しくはキャップ上にセンサーを取り付けることによって、又はシャフト内にセンサーを組み込むことによって、ゴルフスイング（又は他のスポーツ器具の運動）データを取り込み、解析する。ショットを打った後に、又はゴルフクラブ（又は他のスポーツ器具）をスイングした後に、プレーヤー及びインストラクターは、インパクト時のクラブヘッドスピード、経路、面及び種々の角度のような重要な測定基準とともに、スイングのインタラクティブな３次元アニメーションを視認することができる。ゴルフクラブヘッドはインパクト時に激しく振動する傾向があり、それにより、センサーがスイング特性を測定しようとする試みを邪魔する可能性があることに起因して、一般的には、そのようなセンサーはヘッドから離れた位置に固定することが好ましい。そのようなセンサーは、送信機を用いて、スポーツ器具のスイング、すなわち、ゴルフクラブスイングを規定する処理済みの直線運動及び角運動データを、スマートフォン、タブレットコンピューター又はラップトップコンピューターのようなモバイルデバイス上の受信機に送信する。モバイルデバイス上で実行されるコンピューターアプリケーションが、処理済みのデータを受信し、そのデータを更に処理して、スイングの点ごとの包括的な統計データとともに、スイング全体のグラフィカル表現を表示する。処理済みのデータは記憶され、自身のスイングに関してゴルファー又は他のスポーツ器具のユーザーを指導するために、後に理論データとともに用いられる。
【０００７】
しかし、そのようなセンサーをゴルフクラブのシャフトに取り付けるにしても、他の形で取り付けるにしても、１０グラム〜５０グラム、より一般的には約３０グラムになる場合があるセンサーの重さに起因して、ゴルファーの通常のスイング及び感覚を変化させる可能性がある。したがって、例えば３００グラムのドライバーの場合、３０グラムのセンサーは、クラブの競技時の重さからの１０％のずれを表す。そのような追加の重さは、優れたプレーヤーほど、特にツアープロにとって、特に容易に気が付くものとなり得る。さらに、そのようなセンサーのシャフトへの取り付けは、少なくとも３つの理由から理想的な場所とはならない可能性がある。第一に、シャフト上に位置決めされたときに、センサーがプレーヤーの目に見える／気を散らすかもしれないし、第二に、センサーが、クラブごと又はプレーヤーごとにシャフトに沿って一貫していない場所に位置決めされるかもしれないし、第三に、シャフト上の位置決めが、ユーザーのスイングパターンを監視するのに最も有益な場所とならないかもしれない。
【０００８】
この第三の点に関して特に、センサーをゴルフクラブシャフト、例えば、グリップ付近に取り付けることにより、ゴルフクラブの経路が正確に監視されない場合があるが、その理由は以下のとおりである。すなわち、スイング中にシャフトは曲がり、インパクト時にゴルフクラブヘッドはわずかに減速する一方、スイングの可視化を支配する数学は、シャフトが実質的に剛体であり、曲がらないことを前提としているため、両手が完全に剛体のシャフトを誘導しているように見える方向以外の方向への加速度は考慮に入れられない。それゆえ、投影されるスイング経路は、両手がスイング中に剛体の円柱体を投影する場所に従う。
【０００９】
その全体が参照により本明細書に援用される米国特許出願公開第２０１３／０２６７３３８号は、センサー及び送信機を含む、監視デバイスを開示しており、そのデバイスは、ゴルフクラブヘッドに取り付けることができ、ゴルフスイングの特性に関連するデータをリモートコンピューターに送信するように構成することができる。
【００１０】
しかしながら、ゴルフクラブヘッド内にセンサーを取り付けることに伴う問題は、中心を外した（ヒール又はトゥ、フェースの上側／下側での）打撃が、インパクト点からフォロースルーの一部を通して、例えば、フォロースルーの約半分（クラブがウエストの高さを通るとき）まで、ヘッドを前後に揺動させる傾向がある。加速度計／ジャイロスコープ／ＩＭＵは、そのようなクラブヘッドの揺動を捕捉し、アルゴリズムを導く数学によっては、異常な方向におけるこれらの力／加速度（センサーが位置する場所による）が、投影されるスイング経路の可視化に悪影響を及ぼす場合がある。さらに、テイクアウェイ時に（シャフトがねじれ、両手が回転する時に）、より大きなねじり力が生じることになる。スイングのトップでは、バックスイングからダウンスイングへの移行（その場合にシャフトが相当に曲がる）による潜在的に信頼性のないデータが生じることになる。この曲がりによって、本来の向き（静止した向き）に対するヘッドの向きは、５度〜１０度だけ外れ、２度〜５度だけねじれる場合がある。インパクト時に再び、曲がり及び揺動が、何らかの加速度を引き起こす傾向をもたらすかもしれない。前後の振動、そして同様にインパクト時に、シャフトが通常曲がる結果、動的変動によりヘッドの重心がクラブの重心と位置合わせされるにつれて、ヘッドが静止したシャフトプレーンの前方に振り動かされ、その面の内側に（足の近くに）向けられる。
【課題を解決するための手段】
【００１１】
以下の説明は、本開示を基本的に理解してもらうために、本開示の態様の包括的な概要を提示する。この概要は、本開示の広範な概説ではない。この概要は、本開示の重要な、若しくは不可欠な要素を特定することも、本開示の範囲を正確に定めることも意図していない。以下の概要は、以下に提供されるより詳細な説明に対する前置きとして、本開示の幾つかの概念を一般的な形で提示するにすぎない。本開示は、ゴルフクラブヘッド内に配置されるときに、監視デバイスを使用しない同等なゴルフクラブヘッドと比較して実質的に質量を追加しないように構成される、監視デバイスを備えるゴルフクラブヘッドを記載し、その監視デバイスは、ゴルフクラブヘッドのインパクト前のスイング経路に応答するデータを送信し、インパクト後のスイング経路に応答するデータを無視するか、又はトリムし、インパクト後のスイング経路の少なくとも一部に少なくとも部分的に基づいて、仮定的なインパクト後のスイング経路を決定するように構成される。
【００１２】
別の態様では、ゴルフクラブヘッドは、ソール部及びフェース部を更に備えることができ、ソール部は空洞を備え、この空洞は、監視デバイスがこの空洞内に配置されるときに、監視デバイスを補完するようなサイズ及び形状であり、空洞はゴルフクラブヘッドから取り除かれた材料の質量に対応する容積を有し、取り除かれた材料の質量は、ゴルフクラブヘッド内に設置されるときの監視デバイスの質量に実質的に等しい。
【００１３】
別の態様では、監視デバイスは、インパクト前のスイング経路の少なくとも一部に少なくとも部分的に基づいて、かつインパクト後のスイング経路の一部に少なくとも部分的に基づいて、仮定的なインパクト後のスイング経路を決定するように更に構成することができる。
【００１４】
本開示の更に別の態様では、仮定的なインパクト後のスイング経路は、ゴルフクラブヘッドとゴルフボールとの衝突点から、インパクト後のゴルフクラブヘッドの振動が実質的に終わるインパクト後の位置に実質的に対応する点までの経路を含むことができる。
【００１５】
本開示の更に別の態様は、リモートデバイスと、スポーツ器具とを備えるシステムを提供することができ、スポーツ器具は第１の監視デバイス及び第２の監視デバイスを備え、第１の監視デバイス及び第２の監視デバイスは、スポーツ器具の長手方向軸に対して離間して配置され、スポーツ器具に固定され、第１の監視デバイス及び第２の監視デバイスはそれぞれ、スポーツ器具のスイングに対応するデータをリモートデバイスに送信するように構成される監視デバイスを備え、このシステムは、
ａ．スポーツ器具のスイングの第１の部分中に、スポーツ器具のスイングの第１の部分を最も反映するデータを送信しているのが、第１の監視デバイス及び第２の監視デバイスのうちのいずれであるかを判断し、
ｂ．スポーツ器具のスイングの第１の部分を最も反映するデータを取り込み、
ｃ．スポーツ器具のスイングの第２の部分中に、スポーツ器具のスイングの第２の部分を最も反映するデータを送信しているのが、第１の監視デバイス及び第２の監視デバイスのうちのいずれであるかを判断し、
ｄ．スポーツ器具のスイングの第２の部分を最も反映するデータを取り込み、
ｅ．スポーツ器具のスイングの第１の部分を最も反映するデータをスポーツ器具のスイングの第２の部分を最も反映するデータと累算するように構成される。
【００１６】
本開示は例示によって示され、添付の図には限定されず、図面全体を通して、同様の参照番号は類似の要素を示す。
【図面の簡単な説明】
【００１７】
【図１】ゴルフクラブシャフトのようなスポーツ器具に取り付けられる従来技術の監視デバイスの図である。
【図２】内部に配置されるように構成された監視デバイスを備えるゴルフクラブヘッドのような、本開示のスポーツ器具の一部の組立分解図である。
【図３】図２のゴルフクラブヘッド及び監視デバイスの左側面図である。
【図４】本開示の例示的な監視デバイスの概略図である。
【図５】本開示の例示的な監視デバイスの別の概略図である。
【図６】本開示の例示的な監視デバイスの別の概略図である。
【図７】本開示の例示的な監視デバイスの別の概略図である。
【図８】本開示の例示的な監視デバイスの別の概略図である。
【図９】監視デバイス及びスポーツ器具の種々の重心を例示する、本開示のスポーツ器具及び監視デバイスの組立分解図である。
【図１０】本開示の監視デバイスが内部に設置された本開示のスポーツ器具の斜視図である。
【図１１】図１０のスポーツ器具の線１０Ａ−１０Ｂに沿った断面図である。
【図１２】ゴルフクラブのようなスポーツ器具のスイング経路のグラフィック表示の概略図である。
【図１３】本開示の教示による、インパクト後のスイング経路異常及びそれゆえの補正を例示する、ゴルフクラブのようなスポーツ器具のスイング経路のグラフィック表示の概略図である。
【図１４】本開示の例示的な方法を示すフローチャートである。
【図１５】リモートデバイスと通信する複数の監視デバイスを備えるように構成されるスポーツ器具を備える、本開示のシステムの概略図である。
【図１６】例えば、スイング経路の異なる部分において複数の監視デバイスを用いることができる本開示の態様を示す、ゴルフクラブのようなスポーツ器具のスイング経路のグラフィック表示の概略図である。
【図１７】本開示の例示的な方法を示すフローチャートである。
【図１８】本明細書において開示される方法及びシステムの態様又はその一部を組み込むことができるコンピューターシステムを表す例示的なブロック図である。
【発明を実施するための形態】
【００１８】
本明細書において用いられるときに、「スポーツ器具」という用語は、実際の分野及びバーチャルの分野の両方におけるものを含む、振る、捕る、打つ、投げる、又は別の方法でボール、パック等の別の物体（スポーツ物体）と衝突することによってゲーム及びスポーツにおいて使用されることを意図している物体を意味する。スポーツ器具は、限定はしないが、野球バット、クリケットバット、ゴルフクラブ、ホッケースティック、テニスラケット、スカッシュラケット、ラケットボールラケット、バドミントンラケット又はラクロススティックを含み、そのようなスポーツ器具をまねることを意図したビデオゲームコントローラのようなデバイスを更に含む。「スポーツ器具」は、スポーツ物体のようなデバイスと衝突することができるか、又はそのデバイスとの衝突に関連付けることができ、それゆえ、例えば、サッカーボール又はフットボールをキックするように構成されるシューズ、又は衝突を引き起こすときにユーザーが着用している場合があるゴルフグローブ、ボディスーツ又はヘルメットのような衣類も含み得る。スポーツ器具はインパクトエリアを有することができ、インパクトエリアは、スポーツに参加するときに別のスポーツ器具又はスポーツ物体と通常衝突するスポーツ器具のエリアである。例えば、インパクトエリアは、ゴルフの場合のゴルフクラブヘッド（すなわち、ゴルフクラブヘッド１５１０）の一部又は全て、野球の場合のバットの胴部等を含むことができる。非インパクトエリアは、ゴルフクラブシャフト（すなわち、シャフト１５２０）、ラケットの柄、バットの柄等の別のスポーツ器具が通常は衝突しないスポーツ器具のエリアとすることができる。本開示は、便宜上、主にゴルフクラブ、ゴルフクラブヘッド及びゴルフ関連用具を参照するが、これは簡潔するためにすぎず、本明細書における教示及び開示は任意のスポーツ器具に適用することが意図されており、ゴルフクラブのみに適用することは意図されていないことを理解されたい。
【００１９】
図１を参照すると、全体として１０で示される従来技術のゴルフクラブシャフトを備えるスポーツ器具が示されており、ゴルフクラブシャフト１０は、ゴルフクラブシャフト１０に固定されるゴルフクラブヘッド（図示せず）を有し、ゴルフクラブグリップ１２を含む。また、図１には、上記のＳｗｉｎｇｂｙｔｅＳＢ２センサーのような監視デバイス１４も示されており、監視デバイス１４は、既知のように、例えば、クランプ又はストラップ１６を用いてゴルフクラブシャフト１０に取り付けられる。そのような監視デバイス１４は、情報、データ、グラフィックス等をコンピューター、ラップトップ、タブレット、スマートフォン等のようなリモートデバイス１８に送信するように構成することができ、リモートデバイスにおいて、情報、データ、グラフィックス等はディスプレイ２０上でアクセスされ、表示され、又は監視することができる。
【００２０】
ここで、図２を参照すると、全体として２１２で示されるゴルフクラブヘッドを備える、本開示の一態様が示される。この例では、ゴルフクラブヘッド２１２は、ソール２１４と、ホーゼル２１６と、バック又は「マッスル」部２１８と、フェース（図示せず）とを有する、アイアンタイプのゴルフクラブヘッド、例えば、ウエッジを含むことができる。図示されるように、ゴルフクラブヘッド２１２は、空洞部２２０を備えることができる。空洞部２２０は、ゴルフクラブヘッドの一部として鍛造し、鋳造し、穿孔し、切削し、又は別の方法でゴルフクラブヘッド２１２内に形成することができる。この例では、空洞部２２０は、ソール２１４に隣接するか又はソールを含むゴルフクラブヘッドの領域内に形成することができる。空洞部２２０は、図示されるように、トゥ領域２２２から、ソールを通って、ヒール領域２２４まで貫通することができるか、又は例えば、ゴルフクラブヘッド２１２内で「行き止まり」にすることができ、それゆえ、１つの入口点のみを含むことができる。空洞部２２０は、図２において、ソール２１４の中に「トンネル」を掘るように示されるが、空洞部２２０は、その中に監視デバイスの全体又はかなりの部分を収容するのに十分なサイズ及び形状の開放チャネル、くぼみ、溝又は他のタイプの凹部を含むことができることは理解されよう。図２のゴルフクラブヘッド２１２はアイアンタイプのゴルフクラブヘッドとして示されるが、本開示は任意のタイプのゴルフクラブ又はヘッドを包含することを意図し、それゆえ、ドライバー、フェアウェイウッド、ハイブリッド、アイアン及びパターを含む。
【００２１】
空洞部２２０は、結果として、図１のゴルフクラブヘッドグリップ１２に対するゴルフクラブヘッド２１２の重量の望ましくない損失をもたらす場合がある。この重量又は質量の損失は、取り除かれた質量Ｍ1を有する、全体して２２６で示される図２の仮定的材料プラグによって概略的に示される。仮定的材料プラグ２２６は、空洞部２２０がトゥ領域２２２及びヒール領域２２４を補完する輪郭端部を有すると仮定すると、空洞部２２０の体積に実質的に等しい体積を有し得る。当然、空洞部２２０のサイズ、形状、場所等によって、仮定的材料プラグ２２６の異なる構成も可能である。後に説明されるように、本開示の一態様は、適切に重量が割り振られ及び／又は構成された監視デバイスを用いて、この取り除かれた質量Ｍ1を補償し、それにより、監視デバイスを備えないゴルフクラブと監視デバイスを備えるゴルフクラブとの間のスイングの重さ及びスイングの感覚において知覚され得るあらゆる違いを最小限に抑えるか、又は更には解消することができる。
【００２２】
図２及び図３に更に示されるように、全体として２３０で示される監視デバイスは、空洞部２２０内に設置されるように構成することができる。図１１に示されるように、空洞部２２０は、トゥ領域２２２からヒール領域２２４まで延在し、ゴルフクラブヘッド２１２を貫通し、２つの開放端を有する通路を作り出すことができる。この態様では、図１１において最もわかりやすく示されるように、空洞部２２０の通路の一端、例えば、ヒール領域２２４から出る部分は、ねじ込みボルト又はねじ２４２を収容するように構成される進入口２２１を備えることができる。この態様では、ねじ込みボルト又はねじ２４２は、監視デバイス２３０の端部２３８又は端部２４０のいずれかの雌ねじ領域２４４によって螺合するように受け取られ得る。便宜上、ねじ込みボルト又はねじ２４２が図示及び説明されるが、例示であってこれらに限定はされないが、ピン、リベット、戻り止め、圧入構造、クランプ等を含む、任意の適切な固定構造を利用して、監視デバイス２３０をゴルフクラブヘッド２１２内に固定することができることは理解されよう。
【００２３】
代替的には、空洞部２２０は、一方だけが開放端であり、ゴルフクラブヘッド２１２内の「行き止まり」において終端するように、ゴルフクラブヘッド２１２内に形成することができる。この態様では、監視デバイス２３０は、空洞部２２０の壁内の雌ねじ領域（図示せず）に螺入されるように構成される雄ねじを備えるように構成することができる。更に別の代替形態では、監視デバイスは、ゴルフクラブヘッド内に監視デバイス２３０を保持するために、空洞部２２０に対して概ね垂直な方向、すなわち、矢印「Ａ」及び「Ｂ」（図３）によって示されるような方向にゴルフクラブヘッドを貫通する１つ又は複数のピン、ねじ込みボルト又はねじを収容するように構成することができる。
【００２４】
好ましい態様では、監視デバイス２３０は、空洞部２２０及び／又は空洞部２２０によって表される仮定的材料プラグ２２６に実質的に対応するサイズ及び形状を備えることができる。極めて好ましい態様では、監視デバイス２３０は、仮定的材料プラグ２２６の質量Ｍ1に実質的に等しい質量Ｍ2を有するように構成することができる。この質量Ｍ2は、例えば、加速度計、送信機、電池等を備えることができるセンサーコンポーネント２３２を備える監視デバイス２３０を利用することによって達成することができる。しかしながら、監視デバイス２３０及び／又はセンサーコンポーネント２３２は、空洞部２２０より小さくすることができ、及び／又はＭ1より質量を少なくすることができる。それゆえ、監視デバイス２３０の一部として、加重部２３４及び／又は充填材部２３６のような、１つ又は複数の「充填」及び／又は「加重」要素を含むことが有利な場合がある。加重部２３４は、金属、すなわち、タングステン、銅、鉛等のような相対的に質量が大きい材料を含むことができ、充填材部が用いられる場合には、その充填材部は、相対的に軽量の材料、すなわち、軽量ポリマーを含むことができる。監視デバイス２３０の何らかの部分又は全体は、ひとたび空洞部２２０に対して設置された後に監視デバイスに衝撃吸収性を与え、及び／又は監視デバイス２３０を更に密着させるために、合成ゴムのような変形可能材料から形成される保護ケーシング内に収容することができる。
【００２５】
別の態様では、図９及び図１１に示されるように、監視デバイス２３０は、監視デバイス重心ＣＧsを含むことができ、ゴルフクラブヘッド２１２も仮想重心ＣＧhを含むことができる（仮想重心は、仮定的材料プラグ２２６が所定のあるべき位置にあった場合に重心が位置していた場所を含む）。ゴルフクラブヘッド２１２は、ゴルフクラブヘッド２１２から仮定的材料プラグ２２６が除去されたことによって、仮想重心ＣＧh（本明細書において仮定的重心としても知られている）から幾分オフセットされた実際の重心ＣＧaも有することができる。この態様では、図１１に示されるように、監視デバイス重心ＣＧsは、監視デバイス２３０がゴルフクラブヘッド２１２内に設置されたときに、監視デバイス重心が仮想重心又は実際の重心と実質的に位置合わせされるように構成することができる。したがって、Ｍ1＝Ｍ2であり、かつＣＧsが実質的にＣＧhと位置合わせされる場合には、監視デバイス２３０が設置されているゴルフクラブヘッド２１２に関して、その質量も、その重心も監視デバイス２３０によって影響を及ぼされないようにすることができる。これは、より正確なスイング解析に寄与することができる。
【００２６】
好ましい態様では、監視デバイスは２つの端部２３８、２４０を備えるように構成することができ、その端部の一方又は両方が、端部２３８及び／又は２４０に隣接するゴルフクラブヘッド２１２の輪郭を補完することができる。これが図２の仮定材料プラグ２２６によって最もわかりやすく示されており、図２は、仮定的な第１の端部２３８ａがゴルフクラブヘッド２１２のトゥ領域２２２に類似の、及び／又はトゥ領域２２２に実質的に補完的な輪郭を示し、仮定的な第２の端部２４０ａが、ヒール領域２２４に類似の、及び／又はヒール領域２２４に実質的に補完的な輪郭を示す様子を表している。そのような補完的な輪郭は、図１、図１０及び図１１の端部２３８によっても示される。
【００２７】
好ましい態様では、監視デバイスの一方又は両方の端部２３８、２４０は、監視デバイス２３０を固定構造を用いて空洞部２２０内に保持できるように、ねじを切られるか又は他の方法で構成することができる。例えば、ねじ込みボルト又はねじ２４２が、１つ又は複数のねじ付き又はねじなし保持フランジ２４３を貫通して、監視デバイスの端部２４０の雌ねじ領域２４４（図９及び図１１に最もわかりやすく示される）に螺入され、それにより、監視デバイス２３０をゴルフクラブヘッド２１２内に取外し可能に固定できるようになる。
【００２８】
空洞部２２０内に監視デバイス２３０を固定するように構成される代替の例示的な固定構造が、図４〜図７に示される。これらの例において、全体として４００、５００、６００及び７００で示される監視デバイスはそれぞれ、第１の端部４３０、５３０、６３０及び７３０を有することができ、この文脈における「端部」という用語は、これに限定はされないが、監視デバイスの文字通りの左側端部を含むとともに、その中央線「Ｍ」付近の左側にある監視デバイスの一部又は全ても含む。第１の端部４３０、５３０、６３０及び７３０は第１の固定構造を備えるように構成することができ、第１の固定構造は、上記のように、ゴルフクラブヘッド内にそれぞれの監視デバイス４００、５００、６００及び７００を固定するねじ込みボルト又は他の留め具を収容するために、それぞれ、例えば、内部にねじを切られた部分４４４、５４４、６４４及び７４４を備えることができる。代替的には、ここで容易に理解されるように、第１の端部４３０、５３０、６３０及び７３０は、内部にねじを切られた部分を備えるのではなく、空洞部２２０内の相補的な雌ねじ内に螺入されることになる外部にねじを切られた部分（図示せず）を備えることができる。
【００２９】
各監視デバイス４００、５００、６００及び７００は第２の端部４４０、５４０、６４０及び７４０を更に備えることができ、この文脈における「端部」という用語は、これに限定はされないが、監視デバイスの文字通りの右側端部を含むとともに、その中央線「Ｍ」付近の右側にある監視デバイスの一部又は全ても含む。図示されるように、第２の端部４４０、５４０、６４０及び７４０は、第１の端部４３０、５３０、６３０及び７３０の概ね反対に位置することができ、ここで説明されるように、第２の固定構造を備えるように構成することができる。
【００３０】
図４の例において示されるように、第２の固定構造はＯリング４５０を含むことができ、Ｏリング４５０は変形可能な材料から形成することができる。Ｏリング４５０は、監視デバイス４００内の相補的な溝内に、及び／又は監視デバイス４００の設置時に空洞部２２０の内壁内に収容されるように構成することができる。Ｏリング４５０は、監視デバイス４００の第２の端部４４０を空洞部内に固定するのを助けることができ、一方、ねじ込みボルト又は他の留め具は、内部にねじを切られた部分４４４内に螺入され、締められるときに第１の端部４３０を固定することができる。代替的な態様では、Ｏリング４５０は、第２の端部４４０を一周することができるか、又はその一部のみを囲むことができる非弾性部材又は係止部材を含むことができ、空洞部の内壁上に形成されるフランジ又は相対する係止部材と係合することができ、相対する係止部材は、例えば、空洞部の内壁を一周するか、その一部のみを囲むフランジを備えることができる。
【００３１】
その代わりに、又はそれに加えて、第２の固定構造は、監視デバイス５００の設置時に空洞部２２０の内壁の相補的な溝、スロット又は他の凹部内に嵌合するか、若しくはその中で摺動するように構成されるフランジ、くさび又は他の構造を備えることができる。図５の例に示されるように、第２の固定構造は、くさび形構造５５０を備えることができ、その構造は、監視デバイス５００の設置時に空洞部２２０の内壁の相補的な形状のスロット、溝又は凹部に摺動可能に収容することができる。ゴルフクラブヘッド内に監視デバイス５００をその両端において確実に嵌め込むことは、例えば、雌ねじ部分５４４にボルトを締め込むことによって達成することができ、それにより、監視デバイス５００の第２の端部５４０を、空洞部２２０の内壁に摩擦嵌めにすることができるか、又は空洞部２２０の内壁とロッキング係合させることができる。この態様では、空洞部２２０の内壁の第２の固定構造及び相補的な形状のスロット、溝又は凹部は、固定構造を構成することに加えて、監視デバイス５００をゴルフクラブヘッド内に特定の向きに取り付け、保持できるようにする、例えば、監視デバイス５００の外側端部５６０が、ヒール部分２６０又はトゥ部分２６２のようなゴルフクラブヘッドの輪郭と一致するような輪郭をなすことができるようにする位置合わせ構造又は鍵として機能することができる。
【００３２】
その代わりに、又はそれに加えて、第２の固定構造は、図５に関して説明されたくさび形構造５５０に類似の構成、例えば、図６の監視デバイス６００に関して図示されるような錐台タイプの構成を備えることができる。この態様では、監視デバイス６００は、実質的に上記のように構成することができる第１の端部６３０を備えることができ、全体として、又は一部として錐台６５０を備えることができる第２の端部６４０を有することができる。図６に示される例では、半円錐台、すなわち、楕円形円錐部分又は長円形円錐部分を備える錐台を用いることができる。しかしながら、「切頭円錐」構成とも呼ばれる真円錐台、四角錐台、六角錐台等の他の形状も用いることができる。第２の端部６４０に対して錐台又は他の対称な構成が用いられるとき、後に説明されるような監視デバイスの端部及びゴルフクラブの輪郭の補完的な輪郭特徴の利点を得られるように、空洞部２２０内の特定の向きにおいて空洞部２２０内の鍵付きスロット内に監視デバイス６００を位置合わせするように構成される鍵６４２又は他の類似の構成要素を含むことが望ましい場合がある。容易に理解されるように、鍵６４２は、代替的には、空洞部２２０内に位置決めされる得、対応するスロットは監視デバイス６００の第２の端部６４０内に位置決めされ得る。１つの鍵６４２のみが示されるが、当然、複数のそのような構成要素が用いられ得る。
【００３３】
監視デバイス６００が錐台を備えるか、又は少なくともその一部が錐台を備えるとき、ここで理解されるように、第２の端部６４０は、空洞部２２０の補完的な形状の部分の中に「入れ子にする」ように構成することができる。そのように入れ子にする結果として、摩擦嵌めすることができるか、又は他の方法でクランプによって係合させることができ、それにより、例えば、ボルト又はねじ山のような留め具が第１の端部６３０に対して締められるときに、空洞部２２０の中に第２の端部６４０を固定することができる。
【００３４】
図６に示されるように、監視デバイス６００の第１の端部６３０は、正面から見たときに、楕円形又は長円形を含む外側端部６３５を有することができる。そのような形状は、第１の端部６３０がその形状の断面を有する結果であり得る。それゆえ、そのような断面は、厳密に垂直な断面、すなわち、線６Ａ−６Ｂに沿った断面を含むことができる。代替的には、外側端部６３５の楕円形又は長円形或いは他の非円形形状は、外側端部６３５が、図６の破線６３５ａによって示されるような輪郭を有する結果であり得る。図６の破線６３５ａは、そのヒール端のようなゴルフクラブヘッドの外側表面の輪郭を補完することができる輪郭を示すことが意図されている。
【００３５】
同様に、図６に示されるように、監視デバイス６００の第２の端部６４０は、正面から見たときに、楕円形又は長円形となり得る外側端部６６０を有することができる。そのような形状は、第２の端部６４０がその形状の断面を有する結果であり得る。それゆえ、そのような断面は、厳密に垂直な断面、すなわち、線６Ｃ−６Ｄに沿った断面を含むことができる。代替的には、外側端部６６０の楕円形又は長円形或いは他の非円形形状は、外側端部６６０が、図６の破線６６０ａによって示されるような輪郭を有する結果であり得る。図６の破線６６０ａは、そのトゥ端のようなゴルフクラブヘッドの外側表面の輪郭を補完することができる輪郭を示すことが意図されている。
【００３６】
本明細書において説明される空洞部及び任意の監視デバイス構成は、１つの向きにおいてのみ監視デバイスが設置されることを要求する、涙形、非正三角形等のような、非対称の断面、又は部分的に非対称の断面を有することができ、それは、例えば、上記のように、ゴルフクラブヘッドに隣接する空洞部の領域を補完する輪郭を有する１つ又は複数の端部を有する監視デバイスの場合に好都合となり得ることも理解されよう。
【００３７】
図７に示されるように、第２の端部の固定構造は、雄ねじ部分７５０を備えることができる。この態様では、雄ねじ部分７５０によって、監視デバイス７００を空洞部２２０内の補完的な雌ねじと螺合できるようにし得る。代替の態様では、監視デバイスの第２の端部７４０及び第１の端部７３０はいずれも雄ねじ部分７５０を備えることができるか、又は雄ねじ部分は監視デバイス７００の実質的に全長にわたって延在することができ、第１の端部７３０を空洞部２２０内に固定する雌ねじ部分７４４及びボルト又はねじを潜在的に不要にすることができる。
【００３８】
図７において更に示されるように、監視デバイス７００は、監視デバイス７００を空洞部２２０内に設置するための工具と係合するように構成される鍵、スロット、溝、正方形若しくは他の多面穴、又は他の凹部若しくは突起を有する監視デバイス端７６０を備えることができる。この例では、監視デバイス端７６０はプラスねじのスロット７６５を備える。
【００３９】
ここで図８を参照すると、全体として８００で示される監視デバイスを、本明細書において説明される或る特定の態様に従っていかに構成することができるかの一例が示される。監視デバイス８００は、図示されるように概ね円筒形の形状を有するか、又は任意の他の好都合の形状を有することができる外部ケーシング８１０を備えることができる。外部ケーシングは、限定はしないが、プラスチック、ゴム、合成ゴム、金属、樹脂、複合材等を含む、その目的を果たすのに適した任意の材料から作製することができる。好ましい態様では、外部ケーシング８１０は、監視デバイス８００の電子コンポーネントが、監視デバイス８００が設置されるゴルフクラブヘッドでボールを打った衝撃及び振動に耐えることができるようにするために、及び／又は監視デバイス８００を上記のようにゴルフクラブヘッド内により容易に固定できるように、すなわち、摩擦嵌めによって固定できるようにするために、変形可能ポリマーのような衝撃吸収材料から作製することができる。
【００４０】
監視デバイス８００はセンサーコンポーネント８２０を備えることができ、センサーコンポーネントは、例えば、その上に、マイクロプロセッサ、送信機、加速度計、抵抗器、コンデンサ等のような１つ又は複数のサブコンポーネントを実装し、配置し、接続することができる回路基板８２５を備えることができる。そのようなセンサーコンポーネント８２０は、例えば、シャフトに取り付けられるＳｗｉｎｇｂｙｔｅＳＢ２クリップオンタイプセンサーにおいて市販され、利用されるタイプのものとし得る。
【００４１】
更に示されるように、監視デバイス８００は、監視デバイスの電子コンポーネントに電力を供給するための１つ又は複数の電池８３０を備えることができる。一態様では、電池８３０は、監視デバイス８００の外部ケーシング８１０の内側輪郭に対して補完的な構成、この場合には、概ね円筒形の構成を含むことができる。そのような電池８３０は、例えば、腕時計の電池に類似の構成要素を備えることができる。センサーコンポーネント８２０に電力を供給するのに十分な電力を与え、かつ外部ケーシング８１０内に嵌め込むことができるサイズを有するならば、当然、他の電池タイプ及び構成も可能である。代替の態様では、電池（複数の場合もある）は、ゴルフクラブのシャフト又はグリップ内に位置決めされ、配線等によって監視デバイス８００に接続することもできる。
【００４２】
監視デバイス８００は、空洞部２２０を実現するために失われる理論的な量のゴルフヘッド材料、例えば、仮定的材料プラグ２２６と実質的に同じ質量をこの監視デバイスに与えるための１つ又は複数の重り８４０を更に備えることができる。電池（複数の場合もある）８３０は同じ目的で１つ又は複数の重りを備えることができる。空洞部（すなわち、空所）を実現するために失われる理論的な量のゴルフクラブヘッド材料の質量は、仮定的質量と呼ばれる場合があり、その質量は仮定的材料プラグ２２６の質量とすることができ、失われるゴルフクラブヘッド材料の容積に、失われる材料の密度を乗算することによって求めることができる。それに加えて、又はその代わりに、外部ケーシング８１０は、必要とされるのと同じ量の質量を与えるのに十分に密度の高い材料から作製することができる。言い換えると、監視デバイス８００は、監視デバイス８００が固定されるゴルフクラブヘッドに、監視デバイス８００を備えず、かつそのような監視デバイスを固定するための空洞、空所又は凹部がない同等なゴルフクラブヘッド（すなわち、在庫のゴルフクラブヘッド）と実質的に同じ重さを与えるだけの十分な質量を有するように構成することができる。
【００４３】
本開示の好ましい態様では、本明細書において図示及び説明されるような監視デバイスは、ゴルフクラブヘッドに対するインパクト後の振動を補償するように構成することができる。監視デバイスを備えるゴルフクラブヘッドにおいて、監視デバイスは、ゴルフクラブヘッドのインパクト前のスイング経路に応答するデータを送信し、インパクト後のスイング経路に応答するデータを無視又は「トリム」し、インパクト前のスイング経路の少なくとも一部に少なくとも部分的に基づいて、仮定的なインパクト後のスイング経路を決定するように構成することができる。
【００４４】
ここで、図１２を参照すると、図１に示されるようなゴルフクラブシャフトに固定又は接着されるＳｗｉｎｇｂｙｔｅＳＢ２タイプのセンサーを用いて実現されるような、ゴルフクラブスイング経路のためのグラフィック表示が、全体として１２００で示される。そのようなグラフィック表示１２００は、ハンドヘルドデバイス、すなわち、スマートフォンのようなリモートデバイス、タブレットコンピューターのようなポータブルデバイス、又はコンピューター端末のようなデスクトップデバイス上に表示することができる。そのようなグラフィック表示は、米国特許第８，６９６，４８２号において記載されているような、シャフトに取り付けられる監視デバイス及び／又はリモートデバイスに埋め込まれるコンポーネント、アルゴリズム及びソフトウェアを用いて実現することができる。
【００４５】
監視デバイスは、グラフィック表示１２００として処理し、表示するために、スイング経路に特有のデータをリモートデバイスに送信するように構成される送信機を備えることができる。図示されるように、グラフィック表示１２００は、１つ又は複数のスイング位置、この例では、ゴルフスイングの最後に非常に近いフォロースルー位置に仮想ゴルフクラブ１２１０を表示することができる。更に示されるように、グラフィック表示１２００は、シャフトに取り付けられる監視デバイスによって記録、検知及び／又は送信されるようなスイング経路を表示することができる。そのような表示されるスイング経路は、ゴルフボール１２４０とのインパクト点に先行する、インパクト前のバックスイング経路１２２０とインパクト前のダウンスイング経路１２３０とを含むことができる。グラフィック表示は、仮定的なインパクト後のゴルフボール経路１２５０と、インパクト後のスイング経路１２６０とを更に表示することができる。この例では、監視デバイスはゴルフクラブのシャフトに、又は更にはグリップに取り付けられるので、インパクト後のスイング経路は、インパクト点、すなわち、ゴルフクラブヘッドにおいて経験されるインパクト後の振動の影響を比較的受けないままである。
【００４６】
ここで図１３を参照すると、インパクト点における仮想ゴルフクラブヘッド１３１０を表示する概略的なグラフィック表示が、全体として１３００で示される。図１３に示される表示１３００は、従来技術の監視デバイスをゴルフクラブヘッド内に取り付ける際に経験される場合があるような、記録されたスイング経路を例示することを意図している。そこに示されるように、仮想ゴルフクラブヘッド１３１０内に取り付けられる監視デバイスは、インパクト後に生じる揺動ほど大きくないが、上記で示されたようにバックスイング及びダウンスイング中に何らかのヘッド揺動がある場合があるものの、結果として、バックスイング（すなわち、インパクト前のスイング経路１３２０）及びダウンスイング（すなわち、インパクト前のスイング経路１３３０）に関して極めて信頼性の高い記憶及び表示を生成することができる。図示されるように、ゴルフボール１３４０とのインパクト点では、仮想ゴルフクラブヘッド１３１０に対する極めて大きな振動に起因して、特に中心から外れて打った場合に、インパクト後のスイング経路１３６０は散在する場合があり、ゴルフボール１３４０とのインパクト点から、１３４２において示されるその後の或る時点まで、ほとんど実用的でない場合がある。点１３４２では、振動後でインパクト後のスイング経路１３６５が、効果的な用途でより実効的に記録及び表示され得る程度まで、仮想ゴルフクラブヘッド１３１０のインパクト後の振動が実質的に終わる。
【００４７】
本開示の好ましい態様では、監視デバイス（又は監視デバイスに関連付けられるリモートデバイス）は、ゴルフボール１３４０とのインパクト後のスイング経路からのデータをトリムし、インパクト後のスイング経路１３６０として概略的に表される、望ましくないインパクト後のデータを回避するように構成することができる。ここで図１４を参照すると、本明細書において説明されるような監視デバイスが、動作１４１０において、ゴルフクラブヘッドの経路に関連付けられるデータを送信するように構成することができる１つの方法を提供するフローチャートが示される。その監視デバイスは、動作１４２０において、インパクト後のスイング経路１３６０に対する「トリム」ライン１３６６、１３６８として、図１３に概略的に示される、インパクト後のスイング経路に応答するデータを無視又は「トリム」することができる。本明細書において論じられるように、データをトリムすることは、データ極値のうちの幾つかを除外すること、すなわち、切り捨てと呼ばれるプロセスを指すことができる。これは一般的に、よりロバストな推定を得るために行われ、極値は異常値と見なされる。データをトリムするために、数ある技法の中でも、トリム平均、修正平均、四分位間平均、ミッドヒンジ、十分位数範囲、四分位範囲のような任意の数の技法を用いることができる。
【００４８】
動作１４３０において、インパクト前のスイング経路に関連付けられるデータ（すなわち、インパクト前のスイング経路１３３０又はインパクト前のスイング経路１３２０に関するデータ）の少なくとも一部に少なくとも部分的に基づいて、図１３において１３７０として示される、仮定的なインパクト後のスイング経路を決定することができる。図示されるように、この決定は、インパクト点、すなわち、ゴルフボール１３４０に極めて近いインパクト前のスイング経路１３３０の部分１３３０ａに関連付けられるデータから、仮定的なインパクト後のスイング経路１３７０を外挿することによって行うことができる。図１３に更に示されるように、仮定的なインパクト後のスイング経路１３７０はディスプレイ１３００上に表示することができ、インパクト後のスイング経路１３６０に関して「トリムされた」データは表示しても、しなくてもよい。インパクト後のスイング経路１３６０に関するデータ（すなわち、「実際の」インパクト後のスイング経路のデータ）は、監視デバイス内の１つ又は複数のセンサーによって直接取り込まれたデータ、又はゴルフクラブヘッドに対する実質的なインパクト関連の影響を考慮するように調整されないデータと見なすことができる。また、図示されるように、そのディスプレイは、仮定的なインパクト後のスイング経路１３７０を振動後でインパクト後のスイング経路１３６５と「結び付けて」、クラブヘッドのインパクト後の振動に関して補正された実際のスイング経路の近似を表示することができる。このようにして、動作１４４０において、インパクト前のスイング経路及び仮定的なインパクト後のスイング経路に関連付けられるデータに基づいて結果として生成されたスイング経路をディスプレイ１３００上に表示することができる。
【００４９】
本開示の別の態様では、仮定的なインパクト後のスイング経路１３７０は、少なくとも部分的に、振動後でインパクト後のスイング経路１３６５に関連付けられるデータによって決定することができる。この態様では、振動後でインパクト後のスイング経路１３６５又はその一部を「遡って」外挿して（又は補間して）、仮定的なインパクト後のスイング経路１３７０又はその一部を生成することができる。更に別の態様では、インパクト前のスイング経路１３３０及び振動後でインパクト後のスイング経路１３６５の両方又はその一部を外挿して、仮定的なインパクト後のスイング経路１３７０を生成することができる。一態様では、そのような外挿は、「トリム」ライン１３６６、１３６８によって表される両端から実行することができ、結果として生成される実効的な仮定的なインパクト後のスイング経路１３７０が２つの「トリム」ライン１３６６、１３６８の中央において、又は実質的に中央において合流する。
【００５０】
本開示の更に別の態様では、監視デバイス２３０は、幾つかの練習スイング、すなわち、ゴルフボールとの衝突のないスイングからのデータを記憶及び／又は送信し、そのような記憶及び／又は送信されたデータを用いて、インパクト後のスイング経路１３６０を「正規化する」か、又は別の方法で調整し、仮定的なインパクト後のスイング経路１３７０を生成するように構成することができる。更に別の態様では、監視デバイス２３０は、ゴルフボールと衝突した複数のスイングからのデータを記憶及び／又は送信し、複数のスイングからのそのような記憶及び／又は送信されたデータを合計するか、平均するか、又は別の方法で用いて、インパクト後のスイング経路１３６０を調整し、仮定的なインパクト後のスイング経路１３７０を生成するように構成することができる。この態様では、信頼性のある結果を得るのに、２、３回のそのようなスイングで十分となり得る。
【００５１】
本開示の別の態様は、図１５に示されるシステムである。この態様では、ホーゼル１５１５を介してグリップ１５３０を有するシャフト１５２０に接続されるゴルフクラブヘッド１５１０を備える、全体として１５００で示されるゴルフクラブにおいて、本明細書において実質的に説明されるように、又は別の例として、米国特許出願公開第２０１３／０２６７３３８号に記載されているように、ヘッド内に監視デバイス１５４０を設けることができる。この態様では、ゴルフクラブ１５００は監視デバイス１５５０を更に備えることができ、その監視デバイスは、例えば、シャフト１５２０に取り付けられ得、ゴルフクラブ１５００の運動を検知し、それに関連するデータを処理、記憶及び送信することに関して、監視デバイス１５４０と実質的に同じ機能を示すことができる。監視デバイス１５４０、１５５０は、コンピュータータブレット、スマートフォン、ラップトップコンピューター等のようなリモート装置１５７０と通信することができ、及び／又はそのようなリモート装置とともに用いることができる。この態様では、監視デバイス１５４０、監視デバイス１５５０及び／又は関連するリモート装置１５７０は、監視デバイス１５４０及び監視デバイス１５５０により入手可能な最良のデータのみを受信、処理、送信及び／又は表示するように構成することができる。例えば、ここで図１６を参照すると、監視デバイス１５４０は、ゴルフクラブヘッド１５１０とボール１６１０とのインパクト点から、ゴルフクラブヘッド１５１０のインパクト後の振動が実質的に終わる点１６２０までを除いて、及び／又はゴルフクラブヘッドが「揺動」を経験するバックスイングのトップ１６３０を除いて、スイング中の全ての時点において用いられ得る。以前の例の状況では、監視デバイス１５５０は、スイング中の監視デバイス１５４０が使用されない時点で（すなわち、インパクト時に、又はバックスイングのトップにおいて）用いられ得る。
【００５２】
別の例として、ゴルフクラブ１５００は、スイングの複数の部分からの最も正確な読み値を取り込む複数の機会を与えるために、シャフト１５２０内の監視デバイス１５２５及び／又はグリップ１５３０内の監視デバイス１５３５のような、更なる監視デバイスを有することができる。図示されるように、複数の監視デバイス１５２５、１５３５、１５４０、１５５０は、例えば、スポーツ器具の柄、シャフト、ホーゼル等の長手方向軸又は中心線Ｃ／Ｌに概ね沿って、ゴルフクラブ１５００に沿って比較的均等な間隔を置いて配置することができる。当然、本開示において、他の多くの監視デバイス、並びに間隔及び監視デバイス固定構成も考えられる。
【００５３】
複数の監視デバイス１５２５、１５３５、１５４０、１５５０のうちのいずれの監視デバイスが、解析されているスイングの種々の位置において最も正確な、及び／又は関連するデータを取り込んでいるかによって、複数の監視デバイス１５２５、１５３５、１５４０、１５５０が協動して最も正確な、及び／又は関連するスイング経路データを決定することができる。再び図１６を参照すると、例えば、ゴルフクラブ１５００のスイングの場合に、テイクアウェイの点１６４０からバックスイングのトップ１６３０の直前まで、及びボール１６１０のインパクト点の直前の点から、監視デバイス１５４０が最も正確な／関連するスイングデータを与えることがわかる（又はシステムによって判断される）場合には、その監視デバイスは、スイングのそれらの２つの部分のためにそのデータを使用するのみとすることができる。例えば、バックスイングのトップ１６３０から中間点１６５０まで、例えば、ゴルフクラブ１５００がダウンスイング時に地面と平行となる点付近まで、監視デバイス１５３５が最も正確な／関連するスイングデータを与えることが更にわかる場合には、その監視デバイスは、スイングのその部分のためにそのデータを使用するのみとすることができる。同様に、中間点１６５０から、ボール１６１０とのインパクト点直前の点１６６０まで、監視デバイス１５５０が最も正確な／関連するスイングデータを与える場合には、その監視デバイスは、スイングのその部分のためにそのデータのみを使用するのみとすることができる。そして、例えば、ボール１６１０とのインパクト点からゴルフスイング１６７０の残り（すなわち、フォロースルー）を通して、監視デバイス１５２５が最も正確な／関連するスイングデータを与えることが更にわかる場合には、その監視デバイスは、スイングのその部分のためにそのデータを使用するのみとすることができる。
【００５４】
複数の監視デバイス１５２５、１５３５、１５４０、１５５０のうちの２つ以上が、リモート装置１５７０、他の監視デバイスのうちのいずれか、又は任意の他のデバイスのようなコンピューティングデバイスと通信することができる。これらのデバイスは、解析されているスイングのための最良の入手可能なデータを表す統合されたデータセットを生成するために、それぞれのスイングデータを取り込み、比較し、トリムし、正規化し及び／又は総計させるために、複数の監視デバイス１５２５、１５３５、１５４０、１５５０からのデータを理解する、例えば、計算及びソートの中間ステップを実行するように構成される。
【００５５】
図１７は、スイング経路を決定するための例示的な方法を示す。動作１７０５において、第１のスポーツ器具の第１のスイングの第１のデータが取り込まれる。第１のデータは、リモート装置１５７０、監視デバイス１５２５、１５３５、１５４０又は１５５０等のような１つ又は複数のデバイスからもたらされ得る。第１のスイングは、非インパクトスイング（例えば、第２のスポーツ器具との衝突のないスイング）とすることができるか、又はインパクトスイング（例えば、第１のスポーツ器具が第２のスポーツ器具と衝突するスイング）とすることができる。動作１７１０において、第１のスポーツ器具の第２のスイングの第２のデータが取り込まれる。第２のスイングは非インパクトスイング又はインパクトスイングとすることができる。第１のスイングと第２のスイングとの間の時間は、数秒若しくは数分のような短い範囲の時間内にあってもよいし、又は数時間、数日若しくは数週間のような長い範囲の時間内にあってもよい。
【００５６】
動作１７１５において、第１のデータ及び／又は第２のデータを調整することができる。第１のデータ及び／又は第２のデータは、インパクト前の経路又はインパクト後の経路を含み得るスイング経路を決定するのを助けるために、トリミング、正規化、又は別の統計学に基づく方法又は統計学に基づかない方法によって調整することができる。一例では、非インパクトスイングであるとき、リモート装置１５７０、又は監視デバイス１５２５、１５３５、１５４０又は１５５０のうちの１つ又は複数が（別々に、又は合わせて）、ボールの仮定的なインパクト点の推定に基づいて（非インパクトスイングの場合、ボールのインパクトは生じないため）、インパクト前のスイング経路からのデータとインパクト後のスイング経路からのデータとを区別することができる。この例では、インパクト前のスイング経路及びインパクト後のスイング経路のデータが決定された後に、インパクト後のスイング経路をトリム及び正規化することができる。
【００５７】
動作１７２０において、第１のデータ、第２のデータ、調整済みの第１のデータ及び／又は調整済みの第２のデータに基づいて、第１のスイング又は第２のスイングに関する仮定的なスイング経路（すなわち、仮定的なインパクト後のスイング経路及び／又は仮定的なインパクト前のスイング経路）を決定することができる。動作１７２５において、第１のデータ、第２のデータ、調整済みの第１のデータ及び／又は調整済みの第２のデータに基づいて、スポーツ物体（すなわち、ボール１６１０）の仮定的なインパクト後の飛行経路（すなわち、ボール経路１６２５）を決定することができる。例えば、ボール１６１０又は仮定的ボール（例えば、非インパクトスイングの状況において）の飛行の決定において、トリム及び／又は正規化されたインパクト後のスイング経路又はインパクト前のスイング経路を用いることができる。動作１７３０において、仮定的なインパクト後のスイング経路及び／又はインパクト後のスポーツ物体飛行経路を、例えば、図１６に示されるのと同様に表示することができる。図１７の動作及び本明細書において論じられる他の方法は、単一のデバイスにおいて実行することができるか、又は複数のデバイスにわたって分散させることができる。本明細書において幾つかの動作が論じられてきたが、１つ若しくは複数の動作を除去することもできるし、任意の妥当な順序において実行することもできることは理解されたい。
【００５８】
別の態様では、本開示のシステムが複数のスポーツ器具、例えば、その中に監視デバイスを備えるゴルフグローブ、その中に監視デバイスを備えるアームバンド、及び／又はその中に１つ若しくは複数の監視デバイスを備えるゴルフクラブを備えることができ、各監視デバイスは、ゴルフスイングのようなユーザーの運動を監視するように構成され、そのシステムは、種々の監視デバイスの中から、監視されている運動中の任意の点において、いずれの監視デバイスが最も正確な及び／又は関連する運動データを送信しているかを選別するように構成され、そのシステムは、そのようなデータを処理し、累算（又は総計）して、結果として監視されているユーザーの運動の経路を表示するように更に構成される。
【００５９】
図１８及び以下の検討は、本明細書において開示される方法及びシステム、及び／又はその一部が実施され得る適切なコンピューティングシステムの簡潔な概要を提供することを意図している。必須ではないが、本明細書において開示される方法及びシステムは、コンピューティングシステムによって実行される、プログラムモジュールのようなコンピューターが実行可能な命令の一般的な状況において説明される。一般的に、プログラムモジュールは、特定のタスクを実行するか、又は特定の抽象データ型を実現するルーチン、プログラム、オブジェクト、コンポーネント、データ構造等を含む。本明細書において開示される方法及びシステム又はその一部は、クライアントワークステーション、サーバー、ハンドヘルドデバイス、マルチプロセッサシステム、マイクロプロセッサに基づくか、又はプログラム可能な家庭用電化製品、ネットワークＰＣ、ミニコンピューター、メインフレームコンピューター等を含む、コンピューターシステム構成で実施できることは理解されたい。それらの方法及びシステムは、通信ネットワークを通してリンクされるリモート処理デバイスによってタスクが実行される分散コンピューティング環境において実施することもできる。分散コンピューティング環境では、プログラムモジュールは、ローカル及びリモートの両方のメモリ記憶デバイス内に位置することができる。
【００６０】
図１８は、本明細書において開示される方法及びシステムの態様又はその一部を組み込むことができる汎用コンピューターシステムを表すブロック図である。数あるデバイスの中でも、監視デバイス（すなわち、監視デバイス２３０、４００、５００、６００、７００及び８００等）、リモート装置１５７０が、本明細書において説明されるコンピューティングデバイス１８２０の構成要素のうちの１つ又は複数を含むことができる。図示されるように、例示的な汎用コンピューティングシステムは、処理ユニット１８２１と、システムメモリ１８２２と、システムメモリを含む種々のシステムコンポーネントを処理ユニット１８２１に結合するシステムバス１８２３とを含む、コンピューター１８２０等を含む。システムバス１８２３は、メモリバス又はメモリコントローラと、周辺機器用バスと、種々のバスアーキテクチャのうちの任意のものを用いるローカルバスとを含む、幾つかのタイプのバス構造のうちの任意のものとすることができる。システムメモリは、リードオンリーメモリ（ＲＯＭ）１８２４と、ランダムアクセスメモリ（ＲＡＭ）１８２５とを含む。起動中等に、コンピューター１８２０内の要素間で情報を転送するのを助ける基本ルーチンを含む、基本入力／出力システム１８２６（ＢＩＯＳ）がＲＯＭ１８２４に記憶される。
【００６１】
コンピューター１８２０は、ハードディスク（図示せず）からの読出し及びハードディスクへの書込みのためのハードディスクドライブ１８２７と、取外し可能磁気ディスク１８２９からの読出し及び取外し可能磁気ディスクへの書込みのための磁気ディスクドライブ１８２８と、ＣＤ−ＲＯＭ又は他の光学メディアのような取外し可能光ディスク１８３１からの読出し及び取外し可能光ディスクへの書込みのための光学ディスクドライブ１８３０とを更に含むことができる。ハードディスクドライブ１８２７、磁気ディスクドライブ１８２８及び光学ディスクドライブ１８３０はそれぞれ、ハードディスクドライブインターフェース１８３２、磁気ディスクドライブインターフェース１８３３及び光学ディスクドライブインターフェース１８３４によってシステムバス１８２３に接続される。それらのドライブ及び関連するコンピューター可読媒体は、コンピューター１８２０のためのコンピューター可読命令、データ構造、プログラムモジュール及び他のデータの不揮発性記憶を提供する。本明細書において説明されるように、コンピューター可読媒体は製品であり、それゆえ、一過性の信号ではない。
【００６２】
本明細書において説明される例示的な環境は、ハードディスク、取外し可能磁気ディスク１８２９及び取外し可能光ディスク１８３１を利用するが、例示的な動作環境においては、コンピューターによってアクセス可能であるデータを記憶することができる他のタイプのコンピューター可読媒体を用いることもできることは理解されたい。そのような他のタイプの媒体は、限定はしないが、磁気カセット、フラッシュメモリカード、デジタルビデオ又はバーサタイルディスク、ベルヌーイカートリッジ、ランダムアクセスメモリ（ＲＡＭ）、リードオンリーメモリ（ＲＯＭ）等を含む。
【００６３】
ハードディスク、磁気ディスク１８２９、光ディスク１８３１、ＲＯＭ１８２４又はＲＡＭ１８２５上に、オペレーティングシステム１８３５、１つ又は複数のアプリケーションプログラム１８３６、他のプログラムモジュール１８３７及びプログラムデータ１８３８を含む、幾つかのプログラムモジュールが記憶され得る。キーボード１８４０及びポインティングデバイス１８４２のような入力デバイスを通して、ユーザーがコンピューター１８２０にコマンド及び情報を入力することができる。他の入力デバイス（図示せず）が、マイクロフォン、ジョイスティック、ゲームパッド、サテライトディスク、スキャナー等を含むことができる。これらの入力デバイス及び他の入力デバイスは多くの場合に、システムバスに結合されるシリアルポートインターフェース１８４６を通して処理ユニット１８２１に接続されるが、パラレルポート、ゲームポート、又はユニバーサルシリアルバス（ＵＳＢ）のような他のインターフェースによって接続されてもよい。モニター１８４７又は他のタイプの表示デバイスも、ビデオアダプター１８４８のようなインターフェースを介してシステムバス１８２３に接続される。モニター１８４７に加えて、コンピューターが、スピーカー及びプリンターのような、他の周辺出力デバイス（図示せず）を含むことができる。図１８の例示的なシステムは、ホストアダプター１８５５、スモールコンピューターシステムインターフェース（ＳＣＳＩ）バス１８５６、及びＳＣＳＩバス１８５６に接続される外部記憶デバイス１８６２も含む。
【００６４】
コンピューター１８２０は、リモートコンピューター１８４９（すなわち、監視デバイス２３０）のような１つ又は複数のリモートコンピューターへの論理接続を用いてネットワーク化された環境において動作することができる。リモートコンピューター１８４９は、パーソナルコンピューター、サーバー、ルーター、ネットワークＰＣ、ピアデバイス又は他の一般的なネットワークノードとすることができ、コンピューター１８２０に関して上記で説明された要素のうちの幾つか又は全てを含むことができるが、図１８には、メモリ記憶デバイス１８５０のみが示されている。図１８に示される論理接続は、ローカルエリアネットワーク（ＬＡＮ）１８５１と、ワイドエリアネットワーク（ＷＡＮ）１８５２とを含む。そのようなネットワーク化環境は、事務所、企業規模のコンピューターネットワーク、イントラネット及びインターネットでは一般的である。
【００６５】
ＬＡＮネットワーク化環境において用いられるとき、コンピューター１８２０は、ネットワークインターフェース又はアダプター１８５３を通してＬＡＮ１８５１に接続される。ＷＡＮネットワーク化環境において用いられるとき、コンピューター１８２０は、インターネットのようなワイドエリアネットワーク１８５２を介して通信を確立するためのモデム１８５４又は他の手段を含むことができる。モデム１８５４は、内部又は外部にあることができ、シリアルポートインターフェース１８４６を介してシステムバス１８２３に接続される。ネットワーク化された環境では、コンピューター１８２０に対して示されるプログラムモジュール、又はその一部が、リモートメモリ記憶デバイスに記憶され得る。図示されるネットワーク接続は例示であり、コンピューター間に通信リンクを確立する他の手段が用いられ得ることは理解されよう。
【００６６】
コンピューター１８２０は、種々のコンピューター可読記憶媒体を含むことができる。コンピューター可読記憶媒体は、コンピューター１８２０によってアクセスすることができる任意の市販の媒体とすることができ、揮発性及び不揮発性の両方の媒体、並びに取外し可能及び非取外し可能の両方の媒体を含む。例として、限定はしないが、コンピューター可読媒体は、コンピューター記憶媒体及び通信媒体を含むことができる。コンピューター記憶媒体は、コンピューター可読命令、データ構造、プログラムモジュール又は他のデータのような情報を記憶するための任意の方法又は技法において実現される揮発性及び不揮発性の両方、並びに取外し可能及び非取外し可能の両方の媒体を含む。コンピューター記憶媒体は、限定はしないが、ＲＡＭ、ＲＯＭ、ＥＥＰＲＯＭ、フラッシュメモリ若しくは他のメモリ技術、ＣＤ−ＲＯＭ、デジタルバーサタイルディスク（ＤＶＤ）若しくは他の光ディスク記憶装置、磁気カセット、磁気テープ、磁気ディスクストレージ若しくは他の磁気記憶デバイス、又は所望の情報を記憶するために用いることができ、コンピューター１８２０によってアクセスすることができる任意の他の媒体を含む。上記のうちの任意のものの組み合わせも、本明細書において説明される方法及びシステムを実現するためのソースコードを記憶するために用いることができるコンピューター可読媒体の範囲に含まれるべきである。本明細書において開示される特徴又は要素の任意の組み合わせを１つ又は複数の実施形態において用いることができる。
【００６７】
図に示されるような、本開示の主題の好ましい実施形態を説明する際に、明確にするために、特定の用語が利用される。しかしながら、特許請求される主題は、そのように選択された特定の用語に限定されることを意図するものではなく、それぞれの特定の要素は、同様の目的を成し遂げるために同じように動作する全ての技術的均等物を含むことは理解されたい。
【００６８】
この書面による説明は、複数の例を用いて本発明を開示し、更には、任意のデバイス又はシステムを作製し、使用すること、及び任意の組み込まれた方法を実行することを含めて、任意の当業者が本発明を実施することも可能にする。本発明の特許可能な範囲は、特許請求の範囲によって規定され、当業者が思いつく他の例も含むことができる。そのような他の例は、それらの例が特許請求の範囲の文字通りの文言と異ならない構造的要素を有する場合には、又はそれらの例が特許請求の範囲の文字通りの文言と実質的に違わない同等の構造的要素を含む場合には、特許請求の範囲にあることを意図している。
【図１】
2016107087.tif 000003
【図２】
2016107087.tif 000004
【図３】
2016107087.tif 000005
【図４】
2016107087.tif 000006
【図５】
2016107087.tif 000007
【図６】
2016107087.tif 000008
【図７】
2016107087.tif 000009
【図８】
2016107087.tif 000010
【図９】
2016107087.tif 000011
【図１０】
2016107087.tif 000012
【図１１】
2016107087.tif 000013
【図１２】
2016107087.tif 000014
【図１３】
2016107087.tif 000015
【図１４】
2016107087.tif 000016
【図１５】
2016107087.tif 000017
【図１６】
2016107087.tif 000018
【図１７】
2016107087.tif 000019
【図１８】
2016107087.tif 000020
【外国語明細書】
2016107087000001.pdf